(57)【特許請求の範囲】
【請求項１】
溝形材を形成する一方のフランジ端縁より外方へ向けて水平に延びる水平材を、該水平材の端縁から垂直方向へ屈曲した垂直材を設け、上記フランジと水平材及び垂直材とによりＲＦＩＤタグを固定する窪み部を形成したことを特徴とするアンカー材。
【請求項２】
ＲＦＩＤタグを固定する窪み部分をクリップ状に成形し、厚みの異なるＲＦＩＤタグを固定するようにしたことを特徴とする請求項１記載のアンカー材。
【請求項３】
ＲＦＩＤタグを固定する窪み幅は、ＲＦＩＤタグの厚みとしたことを特徴とする請求項１記載のアンカー材。
【請求項４】
ＲＦＩＤタグを固定する窪み幅は、想定されるＲＦＩＤタグの最大の厚みとし、ＲＦＩＤダグの厚みが窪みの幅より薄い場合は、フィラー部品を挟むことを特徴とする請求項１記載のアンカー材。
【請求項５】
ＲＦＩＤタグの片端若しくは両端に上記アンカー材を取り付け、該ＲＦＩＤタグを希望する設置位置となるコンクリート型枠の内側に両面テープ若しくは接着剤で貼り付け、該型枠を組み立ててコンクリートを打設し、養生した後コンクリート型枠を取り外すことによりＲＦＩＤタグをコンクリートに埋設することを特徴する取付方法。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）タグを、コンクリートによる構造物や構造部材等の表面に埋め込むためのアンカー材とその取付方法に関するものである。
なお、ここで述べるＲＦＩＤダグとは、Ｒａｄｉｏ  Ｆｒｅｑｕｅｎｃｙ  ＩＤｅｎｔｉｆｉｃａｔｉｏｎ  Ｔａｇの略で、無線通信により非接触で情報の読み込みならびに書き込みが可能な技術の一般的な名称であるが、ＲＦＩＤダグのほかに、ＩＣタグ、電子タグ、無線タグ、ＲＦタグ、ＩＤタグという名称で表されるものも含むものとする。
【背景技術】
【０００２】
一般にコンクリートを使用して建築物や橋梁・ダム等の土木工事を行う場合、その品質を確認するため、メーカ、型番、製造年月日等コンクリートを特定するための各種データを表示したラベルや銘板を建築部や構造物に貼り付けている。
【０００３】
その一例としてコンクリートによる建築物や構造物等に取り付けるＲＦＩＤタグを、例えば、コンクリート表面に埋め込む場合、ＲＦＩＤタグを、粘着テープ又は接着剤などで希望する位置に固定された型枠で所定の形状に組み立て、該型枠間にコンリートを打設し養生した後脱型されるが、脱型の際、ＲＦＩＤタグが型枠と共にコンクリートから剥がれてしまうことがあった。
更に、コンクリート表面に埋め込んだＲＦＩＤタグが、部材に作用する外力およびコンクリート表面の経年劣化により剥離することがあった。
【０００４】
また、コンクリート等の固化体内部にＲＦＩＤデータキャリアを設置する治具を、一定の姿勢で取り付けられるようにしたキャリア保持部と、固体内部に組み込まれる鉄芯等の芯材に嵌合する嵌合部材で形成し、該ＲＦＩＤデータキャリアを上記キャリア保持部に取り付ける工程と、該ＲＦＩＤデータキャリアの設置対象であるコンクリート等の固化体の成形用型枠内に芯材を組み込み配置し、この芯材に該ＲＦＩＤデータキャリア設置治具の嵌合部材を嵌合装着させる工程と、上記成形用型枠内に流動状のコンクリート等を流し込んで固化する固定と、上記コンクリート等が固化した後型枠を取り外す工程により、コンクリート等の固化体内部にＲＦＩＤデータキャリアを設置する取付方法もあるが、ＲＦＩＤデータキャリアを設置する際に使用される治具の加工が複雑で、また、ＲＦＩＤデータキャリアは、ＲＦＩＤデータキャリア設置治具に設けた保持爪により固定されるため、使用されるＲＦＩＤデータキャリアの大きさが制約されていた。
【特許文献１】特開２０００−３１７９３１号公報
【発明の開示】
【発明が解決しようとする課題】
【０００５】
従来より使用されているＲＦＩＤタグは、コンクリートによる構造物或いは構造部材等の表面に埋め込まれる埋め込み時の取り付け性を考慮しているものではなく、また、現在市販されているＲＦＩＤタグは、カード型、スティック型、ボタン型、フラット型等があり、厚みも１ｍｍ〜８ｍｍ程度のものが使用されている。
【０００６】
本発明は、コンクリートによる構造物や構造部材等に埋め込まれるＲＦＩＤタグの取り付けを、加工の少ないシンプルなアンカー材により、さらに、ＲＦＩＤタグに厚みや大きさが違っても、同じアンカー材を使用して取り付けることのできるアンカー材を提供することを目的とするものである。
【課題を解決するための手段】
【０００７】
本発明は、上記課題を解決するため、溝形材を形成する一方のフランジ端縁より外方へ向かって水平に延びる水平材を、該水平材の端縁から垂直方向へ屈曲した垂直材を設け、上記フランジと水平材及び垂直材とによりＲＦＩＤタグを固定する窪み部を形成したアンカー材を特徴する。
【０００８】
また、ＲＦＩＤタグを固定する窪み部分は、上記フランジを他方のフランジに向けて屈曲したクリップ状に成形し、厚みの異なるＲＦＩＤタグを固定するようにしたアンカー材を特徴とする。
【０００９】
更に、ＲＦＩＤタグを固定する窪み幅は、ＲＦＩＤタグの厚み幅としたアンカー材を特徴とする。
【００１０】
また、ＲＦＩＤタグを固定する窪み幅は、想定されるＲＦＩＤタグの最大の厚み幅とし、ＲＦＩＤタグの厚み幅が窪み幅より小さい場合、フィラー部品を挟むアンカー材を特徴とする。
【００１１】
更に、ＲＦＩＤタグの片端もしくは両端に上記アンカー材を取り付け、該ＲＦＩＤタグを希望する設置位置となるコンクリート型枠の内側に両面テープ若しくは接着剤で貼り付け、該型枠を組み立ててコンクリートを打設し、養生した後脱型することによりＲＦＩＤタグがコンクリートに埋設される取付方法を特徴する。
【発明の効果】
【００１２】
ＲＦＩＤタグにアンカー材を取り付けているので、コンクリート表面にＲＦＩＤタグを埋め込む際、型枠脱型時にＲＦＩＤタグが剥がれてしまうことを防止することができる。
【００１３】
また、コンクリート表面にＲＦＩＤタグを埋め込む際に、外力および経年劣化によるＲＦＩＤタグの剥離を防止することができる。
【００１４】
更に、コンクリート表面に埋め込みを考慮していない既製品のＲＦＩＤタグでも、アンカーを簡易に取り付けることができる。
【００１５】
また、アンカー材の製作に際しては、原材料であるプレートを曲げるだけであるので、簡易に製作することができる。また、原材料は、金属もしくはプラスチックなどの金属以外の材料で作成することができる。
【００１６】
更に、ＲＦＩＤタグを挟む窪み部にフィラー部品が使用されるアンカー材、或いは、ＲＦＩＤタグを挟む窪み部をクリップ状にしたアンカー材は、ＲＦＩＤタグの厚みにかかわらず、アンカーを簡易に取り付けることができる。
【００１７】
また、アンカー材は、コンクリート表面から２０ｍｍ程度の深さという小さいアンカー材であるので、コンクリートに埋設される鉄筋との干渉を考慮せずに希望する位置にＲＦＩＤダグを埋め込むことができる。
【発明を実施するための最良の形態】
【００１８】
本発明は、コンクリートによる構造物或いは構造部材等の表面に埋め込まれるＲＦＩＤタグの厚みにかかわらず（ＲＦＩＤタグの種類が違っても）、製作が簡易なアンカー材を用いて、コンクリート構造物或いは構造部材等の表面に簡単に取り付けることを目的とするもので、以下、実施例に基づいて説明する。
【実施例１】
【００１９】
図１（ａ）は、コンクリート表面へ埋め込まれた本発明のＲＦＩＤタグとそのアンカー材の実施例を示す側断面図、図１（ｂ）は、アンカー材を取り付けたＲＦＩＤタグをコンクリート型枠の内側に両面テープもしくは接着剤で貼り付けた上記実施例を示すコンクリート打設前の側断面図である。
【００２０】
本発明のアンカー材１は、溝形材を形成する一方のフランジ１１を、他方のフランジ１２に向けて屈曲させ、該フランジ１１の端縁より外方へ向けて水平に延びる水平材１３を、更に該水平材１３の端縁より上方、又は下方に向けて屈曲する垂直材１４を形成し、上記フランジ１１、水平材１３及び垂直材１４とにより、ＲＦＩＤタグ２を固定するクリップ状の窪み部３が形成される。
【００２１】
上記アンカー材１を用いてＲＦＩＤタグ２をコンクリートに埋め込む施工手順について説明する。
まず、ＲＦＩＤタグ２の片端又は両端にアンカー材１が取り付けられるが、該アンカー材１はクリップ状の窪み部３よりなるので、ＲＦＩＤタグ２の厚みにかかわらず、該アンカー材１を簡易に取り付けることができる。
【００２２】
上記アンカー材１を取り付けたＲＦＩＤタグ２は、希望する設置位置となるコンクリート型枠４の内側に、両面テープ、もしくは接着剤で貼り付けられるが、脱型時にアンカー材１を破損する恐れのある強力な接着剤は使用しない。
【００２３】
次いで、ＲＦＩＤタグ２を所定の位置に取り付けたコンクリート型枠４を組み立て、該コンクリート型枠４によって形成された空間部へコンクリート５が打設される。コンクリート５を打設し所定の期間の養生が終わるとコンクリート型枠４が取り外される。なお、ＲＦＩＤダグ２は、コンクリート型枠４を組み立てた後に取り付けても良い。
【００２４】
ＲＦＩＤタグ２は、コンクリート型枠４に両面テープ、もしくは接着剤で仮固定された状態であるので、コンクリート型枠４の脱型作業が終わると、図１ａに示すように、アンカー材１を取り付けたＲＦＩＤタグ２はコンクリート５の表面に埋め込まれ、アンカー材１により外力および経年劣化によるＲＦＩＤタグ２の剥離が防止される。
【実施例２】
【００２５】
図２は、コンクリート表面へ埋め込まれた本発明のＲＦＩＤタグ２とそのアンカー材１の他の実施例を示す側断面図である。
【００２６】
本発明のアンカー材１は、溝形材を形成する一方のフランジ１１１の端縁より外方へ向けて水平に延びる水平材１３１を、更に該水平材１３１の端縁より上方、又は下方に向けて屈曲する垂直材１４１が形成されるが、フランジ１１１と垂直材１４１による窪み幅３１をＲＦＩＤタグ２の厚みとする。
このアンカー材１を用いてＲＦＩＤタグ２をコンクリートに埋め込む施工手順については、上記実施例１と同様にして行われる。
【実施例３】
【００２７】
図３は、コンクリート５の表面へ埋め込まれた本発明のＲＦＩＤタグ２とそのアンカー材１の他の実施例を示す側断面図である。
【００２８】
本発明のアンカー材１は、溝形材を形成する一方のフランジ１１２の端縁より外方へ向けて水平に延びる水平材１３２を、更に該水平材１３２の端縁より上方、又は下方に向けて屈曲する垂直材１４２が形成されるが、フランジ１１２と垂直材１４２による窪み幅３３の幅は、想定されるＲＦＩＤタグ２の最大の厚みとし、ＲＦＩＤタグ２の厚みが窪み幅３３より薄いときは、フィラー部品６を挟むことによりＲＦＩＤタグ２が固定される。
このアンカー材１を用いてＲＦＩＤタグ２をコンクリートに埋め込む施工手順については、上記実施例１と同様にして行われる。
【図面の簡単な説明】
【００２９】
【図１（ａ）】アンカー材を設けたＲＦＩＤタグの実施例を示す側断面図である。
【図１（ｂ）】上記実施例のＲＦＩＤタグをコンクリート型枠の内側に貼り付けたコンクリート打設前の側断面図である。
【図２】アンカー材を設けたＲＦＩＤタグの他の実施例を示す側断面図である。
【図３】アンカー材を設けたＲＦＩＤタグの他の実施例を示す側断面図である。
【符号の説明】
【００３０】
１               アンカー材                    
１１             フランジ
１２             フランジ
１３             水平材                
１３１           水平材
１３２           水平材
１４             垂直材
１４１           垂直材
１４２           垂直材
２               ＲＦＩＤタグ              
３               窪み部              
３１             窪み部                
３２             窪み部                
４               コンクリート型枠
５               コンクリート              
６               フィラー                    
【図１（ａ）】
0004510719.tif 000002
【図１（ｂ）】
0004510719.tif 000003
【図２】
0004510719.tif 000004
【図３】
0004510719.tif 000005